(57)【要約】【課題】  光源ランプの位置精度の確保による情報表示面での輝度ムラを防ぐと共に、ランプ支持部に起因する光モレを軽減し、輝度低下や輝度ムラの影響を少なくして、優れた表示品位を得ることができる表示装置用照明装置を提供する。【解決手段】  光源ランプとランプ支持部とを有する表示装置用照明装置であって、（１）上記ランプ支持部は、光源ランプの略直下の位置以外に固定ピンが配置されたものである形態、（２）上記ランプ支持部は、反射性材料により形成されたものである形態のいずれか又はこれらを組み合わせ形態である表示装置用照明装置。【選択図】    図１
2006003732.tif 000002
【特許請求の範囲】
【請求項１】
光源ランプとランプ支持部とを有する表示装置用照明装置であって、
該ランプ支持部は、光源ランプの略直下の位置以外に固定ピンが配置されたものである
ことを特徴とする表示装置用照明装置。
【請求項２】
光源ランプとランプ支持部とを有する表示装置用照明装置であって、
該ランプ支持部は、反射性材料により形成されたものである
ことを特徴とする表示装置用照明装置。
【請求項３】
前記ランプ支持部は、複数個が一体化され、その略中間位置に固定ピンが設けられたものであることを特徴とする請求項１又は２記載の表示装置用照明装置。
【請求項４】
前記ランプ支持部は、位置制御ピンを有することを特徴とする請求項１〜３のいずれかに記載の表示装置用照明装置。
【請求項５】
前記ランプ支持部は、固定ピンの形状が角を有する形であることを特徴とする請求項１〜４のいずれかに記載の表示装置用照明装置。
【請求項６】
前記ランプ支持部は、固定ピンがランプ支持部に対して斜め方向に設けられたものであることを特徴とする請求項１〜５のいずれかに記載の表示装置用照明装置。
【請求項７】
前記ランプ支持部は、固定ピンが拡散板支持ピンの略直下の位置に配置されたものであることを特徴とする請求項１〜６のいずれかに記載の表示装置用照明装置。
【請求項８】
請求項１〜７のいずれかに記載の表示装置用照明装置に用いられることを特徴とするランプ支持部。
【請求項９】
請求項１〜７のいずれかに記載の表示装置用照明装置を備えることを特徴とする液晶表示装置。
【発明の詳細な説明】
【技術分野】
【０００１】
本発明は、表示装置用照明装置、ランプ支持部及び液晶表示装置に関する。より詳しくは、液晶表示素子に透過領域を有する透過型又は半透過型の液晶表示装置のバックライトを構成するものとして好適な表示装置用照明装置、ランプ支持部、及び、表示装置用照明装置を備えた液晶表示装置に関するものである。
【背景技術】
【０００２】
表示装置用照明装置は、光による表示手段を有する装置を照明するためのものであり、例えば、液晶表示装置におけるバックライト部等において広く用いられている。すなわち、液晶表示装置においては、液晶パネル自体が発光しないことから、通常では透過型又は半透過型の液晶表示装置において、光を液晶パネルに入光させるバックライト部として表示装置用照明装置が備えられている。このような液晶表示装置は、情報や映像の表示手段に欠かすことができないものとなっており、近年では、例えば民生映像用モニタ、産業機器用モニタ、情報携帯端末等の表示パネルにおいて、低消費電力、軽量、薄型という液晶表示の特徴を充分に生かした高品位の製品が注目され、その応用分野が広がりつつある。
【０００３】
ところで、液晶表示装置に用いられるバックライトとしては、現在２大方式としてエッジライト型（サイドライト型）と直下型（ダイレクト型）がある。
エッジライト型の場合には、構造的特徴として図６に示されるように、導光板と呼ばれる透明な板１０１の側面に冷陰極管等の棒状光源１０２が配置されている。この場合、光源１０２から導光板１０１に入光させ、それを導光板１０１内から、シボ加工、印刷、プリズム処理等により液晶パネル１０５側に出光させている。これにより、薄型化が可能であるが、一方で明るさを稼ぐために光源１０２を増やすと、そのままモジュールの厚さに響くことになる。また、いわゆる導光板１０１は、アクリル等の重い連続体が用いられるため、２０型を超える大型になると重くなってしまう。
【０００４】
一方、直下型の場合には、構造的特徴として図７に示されるように、液晶パネル等の表示素子１１７の背面に、冷陰極管等の複数の棒状光源１１３を有している。この場合、棒状光源１１３の光をほぼダイレクトに表示素子１１７に入光させているが、棒状光源１１３の像を消すために拡散板１１５を表示素子１１７と光源１１３との間に有する場合が多い。これにより、多くの光源１１３を配置でき、光量を稼ぐことができ、ダイレクトに表示素子１１７に入光させるため光のロスが少なく、また、２０型を超える大型化が容易に実施できる等の利点を有するが、一方で光源１１３の本数が多く部品点数が多くなり、光源１１３の駆動回路も大掛かりなものとなる。更に、消費電力も大きく、発熱の総量が多くなる。
【０００５】
このような液晶表示装置は、小型の表示素子において進歩が始まり、ノート型パーソナルコンピュータ（ＰＣ）や携帯電話のディスプレイとして市場に広がり、その技術が開発されてきた。これらの分野においては、表示サイズも１５型程度までが主流であり、薄型化が必要条件で、商品性の観点からエッジライト方式が選択されてきた。
現在では、液晶表示装置は、より大きなマザーガラスを用いたプロセスの完成等によって、飛躍的な大型化を遂げ、家庭用のテレビとしての地位を築けるまでに至っている（２０型〜５０型）。このようなテレビは、ＰＣや携帯電話以上に明るさが重要な基本性能となっている。例えば、通常ＰＣモニタでは２５０カンデラ（ｃｄ／ｍ２）程度の仕様値に対して、テレビでは５００カンデラ（ｃｄ／ｍ２）以上の輝度仕様が求められている。このような背景からは、大型かつ高輝度なバックライトを提供するためには直下型バックライトが好適である。
【０００６】
従来の液晶表示装置等に用いることができる表示装置用照明装置に関して、一部に開口部を有する欠円状把持形状を成し、可撓性を有する透明部材で作られたランプホルダ（例えば、特許文献１参照。）、サブ−ランプを備えた複数のランプと、サブ−ランプが互いに連結された連結部を収納するためのランプホルダとを含むバックライトアセンブリ（例えば、特許文献２参照。）、光源から投射される光を導光板に集光させる反射板が金属からなると共に光源を支持しているバックライト装置（例えば、特許文献３参照。）、樋状のユニット支持体の内部に蛍光ランプを収納し、蛍光ランプ及びユニット支持体の間に透光性又は光反射性の合成樹脂からなるランプ支持体を配設した蛍光ランプユニット（例えば、特許文献４参照。）が開示されている。
【０００７】
しかしながら、従来のランプホルダにおいては、蛍光管の直下にランプホルダを固定するピンが配置されることになり、蛍光管からの光がピンを通って漏れることにより、その部分の輝度が低下することになる（特許文献１の図２参照）。また、結合突起と結合溝によりランプホルダが基底面と結合される形態においても、ランプ直下に配置される結合突起により光モレが起こることになる（特許文献２の図５参照）。これらの装置においては、ランプホルダの構造に起因する輝度低下や輝度ムラへの影響が生じることになる。例えば、中間階調表示時や表示装置の立ち上がり時の光量が少ないときに輝度ムラが目立ちやすく、改善が求められている。特に、商品性を向上するために大型かつ高輝度な照明装置が求められ、しかも低コストが求められる液晶分野等においては、ランプホルダの輝度への影響を少なくして、表示品位の低下を抑制して高品位で商品性が高い製品を提供することが求められている。したがって、高品位が要求される表示装置用照明装置において、ランプホルダの構造に起因する輝度ムラを解消するための工夫の余地があった。
【０００８】
【特許文献１】特開２００１−２１０１２６号公報（第１−２、４頁）
【特許文献２】特開２００４−５５５３１号公報（第１−２、７、１３頁）
【特許文献３】特開平１０−２０７４０６号公報（第１−２頁）
【特許文献４】特開平９−３３０６１３号公報（第１−２頁）
【発明の開示】
【発明が解決しようとする課題】
【０００９】
本発明は、上記現状に鑑みてなされたものであり、光源ランプの位置精度の確保による情報表示面での輝度ムラを防ぐと共に、ランプ支持部に起因する光モレを軽減し、輝度低下や輝度ムラの影響を少なくして、優れた表示品位を得ることができる表示装置用照明装置、ランプ支持部、及び、表示装置用照明装置を備えた液晶表示装置を提供することを目的とするものである。
【課題を解決するための手段】
【００１０】
本発明者らは、液晶表示装置のバックライト等に好適に適用することができ、例えば、大型かつ高輝度なバックライトを提供することができる表示装置用照明装置について種々検討するうち、光源ランプがランプ支持部により支持され、バックライトアングル（フレーム）に固定されて装置内に取付られることになるが、例えば、図５−ａのように一部に開口部を有する欠円状把持形状を成し、可塑性を有する部材でランプ支持部を形成するという構成に着目した。この場合、固定ピン（ランプ固定ピン）１２が光源ランプ２１を把持する部分の直下にあり、更に反射板１１２、バックライトアングル１１１に穴を空けて固定ピン１２を差し込んで固定させているために、光源ランプ２１からの光が（１）ピン部、（２）ピン部と穴との隙間から漏れて表示品位に悪い影響を与えることがわかった。すなわち、ランプ支持部１１の上部（光源ランプを把持する部分）の略直下に下部（バックライトアングルと勘合してランプ支持部を表示装置内に固定する部分）が配置される場合には、光モレによる輝度ムラの影響により、図５−ｂに示されるように固定ピン位置の光モレに起因する暗部が認められ、表示品位を低下させる原因となる。
【００１１】
そこで、ランプ支持部の固定ピンの位置を工夫し、例えば、図１に示されるようにランプ支持部１１の固定ピン１２を光源ランプ２１の直下ではなく、光源ランプ２１の略直下の位置以外に配置すると、光源ランプ２１を保護し、光源ランプ２１の位置精度の確保による情報表示面での輝度ムラを防ぐと共に、ランプ支持部１１の構造に起因する光モレによる暗部のレベルを軽減し、輝度ムラの影響を充分に低減して良好な表示品位を得ることができることを見いだし、上記課題をみごとに解決することができることに想到した。また、ランプ支持部１１を反射性材料により形成することにより、すなわち、ランプ支持部１１に反射コーティングを施したり、ランプ支持部１１を高反射の材質により形成したりすることで、ランプ支持部１１の反射率を高めた構成としても、本発明の作用効果を充分に発揮することを見いだし、本発明に到達したものである。
【００１２】
すなわち本発明は、光源ランプとランプ支持部とを有する表示装置用照明装置であって、上記ランプ支持部は、光源ランプの略直下の位置以外に固定ピンが配置されたものである表示装置用照明装置である。
本発明はまた、光源ランプとランプ支持部とを有する表示装置用照明装置であって、上記ランプ支持部は、反射性材料により形成されたものである表示装置用照明装置でもある。
以下に本発明を詳述する。
【００１３】
本発明の表示装置用照明装置は、光源ランプとランプ支持部とを有するものであり、このような照明装置は、液晶表示装置用の照明装置として好適である。本発明においては、特に直下型のバックライトとして用いることが好ましい。また、エッジライト型のバックライトに適用することも可能である。なお、ランプ支持部は、ランプホルダともいう。
上記照明装置としては、直下型では、反射板上にランプ支持部を介して光源ランプが配置された形態等が挙げられる。このような構成において、光源ランプは１本又は複数本用いられることになるが、複数本用いる構成において本発明を適用することが好ましい。
また、エッジライト型では、透明な樹脂製導光板の１又は２以上の側面にランプ支持部を介して光源ランプが配置された形態等が挙げられる。
本発明の照明装置においては、これらの必須構成部材を有する限り、その他の構成部材を含んでいてもよい。
【００１４】
上記照明装置を液晶表示装置に適用する場合、通常では反射板上に光源ランプが配置され、更に拡散板や、拡散シート、集光レンズ、光偏光選択性反射透過シート、保護・拡散シート、電磁遮蔽シート（導電シート、ＩＴＯシート）等の各種光学シート等が積層配置されて照明装置が構成され、液晶パネルと共に液晶表示装置が構成されることとなる。
【００１５】
本発明の表示装置用照明装置の形態は、（１）ランプ支持部が、光源ランプの略直下の位置以外に固定ピンが配置された形態、及び、（２）ランプ支持部が、反射性材料により形成された形態のいずれか又はこれらを組み合わせたものである。
上記照明装置の形態において、（１）の場合には、ランプ支持部において把持された光源ランプの略直下に当たる位置以外の位置に、バックライトアングル等と勘合する固定ピンが配置されていればよく、これにより固定ピンを通って漏れる光の量を抑制して表示面に暗部が生じることを軽減することが可能となる。特に大型かつ高輝度なバックライトにおいては、このような暗部を解消することは重要である。
上記光源ランプの略直下の位置以外の固定ピンの配置位置としては、光源ランプの直下に相当する位置以外であって、光モレを軽減し、輝度ムラの影響を少なくすることができるという本発明の作用効果が発揮されることになる位置であればよく、固定ピンをランプ直下から離して配置した構成とすることが好ましい。例えば、図１に示されるように複数の光源ランプ２１を１つのランプ支持部１１により把持する場合、光源ランプ２１が把持されたランプ支持部１１の断面概念図において、点線で示される光源ランプ２１の両端の間に相当する位置以外であることが好ましい。
【００１６】
本発明においては、１つのランプ支持部が１つの光源ランプ把持部を持つ構成であるランプ支持部（１管用ランプ支持部）を用いてもよく、１つのランプ支持部が複数の光源ランプ把持部を持つ構成である一体化されたランプ支持部（多管用ランプ支持部）を用いてもよい。本発明においては、ランプ支持部及び固定ピンがランプ毎にそれぞれ独立して設けられた１管用ランプ支持部の形態であってもよいが、ランプ支持部が複数一体化された多管用ランプ支持部の形態であることが好ましい。複数個あるランプ支持部の２個以上が一体化されることにより、部品点数の削減と共に、容易にランプ支持部間の間隔を一定とし、光源ランプを精度よく一定間隔で支持することができ、低コストで表示品位に優れた表示装置を製造することが可能となる。この場合、例えば、光源ランプの複数の直線部分を一体化されたランプ支持部により支持する形態、光源ランプが曲線部分を有する場合に複数の曲線部分を一体化されたランプ支持部により支持する形態等が挙げられる。
【００１７】
本発明の好ましい形態としては、上記ランプ支持部が、（ａ）複数個が一体化され、その略中間位置に固定ピンが設けられたものである形態、（ｂ）位置制御ピンを有する形態、（ｃ）固定ピンの形状が角を有する形である形態、（ｄ）固定ピンがランプ支持部に対して斜め方向に設けられたものである形態、（ｅ）固定ピンが拡散板支持ピンの略直下の位置に配置されたものである形態が挙げられる。これら（ａ）〜（ｅ）の形態を適宜組み合わせてランプ支持部を構成することができる。
【００１８】
上記（ａ）の形態は、光源ランプを把持する構造が１つのランプ支持部に複数ある一体化されたランプ支持部において、光源ランプと光源ランプとの間の略中間位置に固定ピンが配置された形態である。これにより、光源ランプと固定ピンとの距離をほぼ一定にすることができるので、輝度ムラをより効果的に軽減することができると共に、各光源ランプをバランスよく支持することができる。上記（ａ）の形態において、固定ピンが設けられる位置は、光源ランプと光源ランプとの間の略中間位置であればよく、すなわち、光源ランプと光源ランプとの真中であっても、光源ランプと固定ピンとの距離をほぼ一定にすることができる範囲であれば、どちらかの光源ランプに寄った位置であってもよい。
【００１９】
本発明において、１つのランプ支持部に設けられる固定ピンの数やその形状等は特に限定されるものではないが、例えば、１つのランプ支持部に２つの光源ランプ把持部が一体化され、１つの固定ピンを有するランプ支持部を用いる場合、図２−ａに示されるように、図中矢印の方向に光源ランプ２１がズレて位置精度の確保が充分ではなくなるおそれがある。
一方、図２−ｂに示されるように、光源ランプ把持部１３の略中間の位置に２個以上の固定ピン１２を有する部材を設け、これによりランプ支持部１１が固定されるようにすることにより、位置精度の充分な確保が可能となる。
また上記（ｂ）、（ｃ）、（ｄ）、（ｅ）の形態においては、光源ランプの位置精度を確保する手段が設けられることになり、これらの形態によっても位置精度のバラツキによる輝度ムラを充分に防ぐことが可能となる。
【００２０】
上記（ｂ）の形態では、ランプ支持部の位置がズレないようにするための位置決め用の制御ピンが設けられることになる。位置制御ピンが配置される位置や数、その形状等は特に限定されないが、位置制御ピンから光モレが起こらないような構造とすることが好ましい。例えば、図１に示されるように、位置制御ピンをランプ支持部１１の両端又は片端の近辺に設け、反射板１１２に空けられた穴と勘合し、バックライトアングル１１１を突き出ないようにした構造とすればよい。これにより、光源ランプ２１の位置精度のバラツキを抑制すると共に、光モレを防いで安定した表示装置を提供することができることになる。
【００２１】
上記（ｃ）の形態では、固定ピンの形状を角を有する形とすることにより、丸い形状の場合よりも光源ランプの位置精度のズレを防止することができる。角を有する形としては、長方形、正方形等が挙げられる。また、上記（ｄ）の形態では、固定ピンをランプ支持部に対して斜め方向に設けることにより、ランプ支持部の向きと同じ方向に設ける場合よりも位置ズレを少なくすることができる。通常では、光源ランプと平行になるように固定ピンが設けられるが、この場合には、光源ランプの取付方向に対して斜め方向に固定ピンが設けられることになる。
図２−ａには、上述したように、１つのランプ支持部１１に２つの光源ランプ把持部１３が一体化され、その中間位置に１つの固定ピン１２を有するランプ支持部を用いる場合において、固定ピン１２が丸い形状のときの形態が示されている。この場合、図中の矢印の方向にランプ支持部１１がズレるおそれがあるが、図２−ｄに示されるように、固定ピン１２が長方形でランプ支持部１１に対して斜め方向に設けられる場合には、ランプ支持部１１の位置精度のズレやバラツキを充分に抑制することが可能となる。
【００２２】
上記（ｅ）の形態では、図３に示されるように、固定ピン１２を拡散板支持ピンの略直下の位置に配置することになる。これにより、拡散板支持ピンによる反射によって固定ピン１２からの光モレを更に少なくすることができる。表示装置用照明装置において通常では、光源ランプの光が出る側に、光源ランプからの光を拡散して均一にすることを主目的とする拡散板が設けられ、反射板、光源ランプ、拡散板がこの順に光が出る方向に向かって配置されることになる。この場合に、拡散板等を下から支持して反射板と拡散板との間隙を保ち、拡散板等の撓みに起因する表示装置の表示品位の低下を防止するために、反射板上に拡散板支持ピンが設けられることになる。本発明においては、部品点数を削減する等の観点から、ランプ支持部に拡散板支持ピンを設けて一体化することが好ましく、この場合に、ランプ支持部の上側（拡散板側）に拡散板支持ピンが設けられ、下側（反射板）に固定ピンが設けられることになる。拡散板支持ピンの形状としては、円錐形状等が挙げられる。
【００２３】
図５−ｃに示されるように、通常では固定ピン１２が光源ランプ２１を把持する部分の直下にあり、２つの光源ランプ２１の中間位置に拡散板支持ピンが配置されることになるが、固定ピン１２を拡散板支持ピンの略直下の位置に配置すると、拡散板支持ピンの光の反射作用により、その下に位置する固定ピン１２からの光モレを防止することが可能となる。固定ピンと拡散板支持ピンとの位置関係は、拡散板支持ピンのランプ支持部本体との結合部分（拡散板支持ピンが設けられる範囲）の一部又は全部の直下に、固定ピンのランプ支持部本体との結合部分（固定ピンが設けられる範囲）の一部又は全部が配置されればよい。
【００２４】
本発明の照明装置の形態において、ランプ支持部は、表示領域に設けてもよく非表示領域に設けてもよいが、表示領域に設ける場合には、ランプ支持部を白色としてもよく、透明としてもよい。また、ランプ支持部に拡散板支持ピンを設ける場合も拡散板支持ピンを白色としてもよく、透明としてもよい。
また上記（２）の形態の場合、すなわち、ランプ支持部が、反射性材料により形成された形態の場合には、ランプ支持部に反射性コーティングを施したり、反射性を有する材質により形成したりすることで、ランプ支持部の光の反射率を高めた構成とすることになる。この場合には、ランプ支持部を白色とすることが好ましい。これにより、固定ピンの部分からの光モレを充分に防止するという本発明の作用効果が発揮されることになる。
【００２５】
上記反射性コーティングを施す場合は、通常用いられるランプ支持部の材質よりも高反射性であるコーティング材をランプ支持部に塗布し、コーティング膜をランプ支持部の表面に形成することになる。反射性コーティングの種類や、ランプ支持部への塗工条件等は特に限定されるものではない。また、上記反射性を有する材質により形成する場合は、通常用いられるランプ支持部の材質よりも高反射性である材料を用いてランプ支持部を形成することになる。ランプ支持部を形成する高反射性の材料の種類や、当該材料を用いてランプ支持部を形成する条件等も特に限定されるものではない。
【００２６】
本発明の表示装置用照明装置において、上記光源ランプとしては、例えば冷陰極蛍光管、熱陰極蛍光管等の蛍光管等が好適に用いられる。また、曲線部分を有する光源ランプとしては、例えば、Ｕ字管光源ランプ、Ｓ字管光源ランプ及びＷ字管光源ランプ等が挙げられる。このような光源ランプを用いることにより、部品点数の削減と共に、光源ランプの電極の総数を減らすことで、照明装置全体での消費電力を低減することが可能となる。中でも、Ｕ字管が好ましく、光源ランプの製造歩留りの低下を防止しつつ、消費電力の低減等の作用効果を得ることができる。更に、Ｕ字管等を用いた場合には、光源ランプの電極を片側に集約することができるので、駆動回路を片側に集約することが可能となる。一方、Ｓ字管等を用いた場合には、光源ランプの電極は両側に配置されることとなるため、光源ランプの出射光における光学特性の均一化においては有利である。
上記光源ランプの好ましい配置形態は、光の均一性の点から、光源ランプの直線部分が平行で等間隔に配置された形態である。
【００２７】
上記ランプ支持部は、絶縁性樹脂により形成されたものであることが好ましい。また光源ランプとランプ支持部を配置する基材とを絶縁することができれば、一部のみが絶縁性樹脂により形成されたものであってもよい。絶縁性樹脂としては、ゴム材料等の弾性材料が好適であり、この場合、光源ランプの耐衝撃性が弱いことに起因する不具合を充分に解消することができる。また、可塑性を有するものであることが好ましい。
【００２８】
更に、ランプ支持部は、切り欠きを有するものであること、すなわち、一部に開口部を有する欠円状把持形状で光源ランプを支持することが好ましい。これにより、ランプ支持部の固定後に光源ランプを取り付けることが可能となる。この場合には、ランプ支持部においては、図４−ａに示されるように、光源ランプ２１の中心線の上側まで支持されるようにすること、すなわちランプ支持部９１の光源ランプ上部の支持範囲Ｌが０ｍｍを超えるようにすることが好ましい。更に、図４−ｂに示されるように、ランプ支持部９１の光源ランプ方向の長さＷが１０ｍｍ以下となるようにすることが好ましい。これらの形態により、光源ランプの支持強度を充分なものとしつつ、光のロスを抑制して光の有効利用を図ることが可能となる。
なお、ランプ支持部は、光源ランプを充分に固定するため、光源ランプの少なくとも端部に設けられることが好ましく、更に光源ランプを適切に支持するために、端部以外の部分にも設けられることがより好ましい。各部に設けられるランプ支持部は、それぞれ異なる形状や材質からなるものであってもよく、同一の形状や材質からなるものであってもよい。
【００２９】
本発明はまた、上記表示装置用照明装置に用いられるランプ支持部でもある。このようなランプ支持部は、表示装置用照明装置、特に液晶表示素子に透過領域を有する透過型又は半透過型の液晶表示装置のバックライトを構成するものとして好適な表示装置用照明装置を構成することになる部品として有用なものである。
本発明は更に、上記表示装置用照明装置を備える液晶表示装置でもある。このような液晶表示装置は、輝度低下や輝度ムラの防止による表示品位の向上等の作用効果を奏することが可能であると共に、ランプ支持部の２個以上を一体化させること等により、部品点数の削減、製造工程での組立てバラツキ防止、耐衝撃性の向上及び消費電力の低減等も図ることが可能である透過型又は半透過型液晶表示装置として、例えば、民生映像用モニタ、産業機器用モニタ、情報携帯端末の表示パネルに有効に用いることができるものである。
【発明の効果】
【００３０】
本発明の表示装置用照明装置及びランプ支持部は、上述のような構成であるので、これにより、光源ランプの位置精度の確保による情報表示面での輝度ムラを防ぐと共に、ランプ支持部に起因する光モレを軽減し、輝度低下や輝度ムラの影響を少なくして優れた表示品位を得ることが可能であり、特に、液晶表示素子に透過領域を有する透過型又は半透過型の液晶表示装置のバックライトを構成する表示装置に好適なものである。また、本発明の表示装置用照明装置を備える液晶表示装置は、輝度低下や輝度ムラの防止による表示品位の向上等の作用効果を奏することが可能であると共に、部品点数の削減、製造工程での組立てバラツキ防止、耐衝撃性の向上及び消費電力の低減等を図ることが可能であり、各種モニタ、表示パネルとして有効なものである。
【発明を実施するための最良の形態】
【００３１】
以下、実施の形態に基づいて、本発明の表示装置用照明装置の好ましい形態について図面を用いて更に詳しく説明するが、これらの実施の形態のみに限定されるものではなく、例えば、これらの実施の形態を組み合わせた形態であってもよい。
【００３２】
（実施の形態１）
液晶表示素子の後方に照明装置を有する液晶表示装置において、蛍光管を支持することが可能な形態の絶縁性樹脂からなる白色のランプ支持部を表示領域の高反射性樹脂上に設け、これにより蛍光管が平行で等間隔に配置された照明装置を構成する。図１には、ランプ支持部の２個分が一体化され、その中間位置に固定ピン１２が設けられることにより、光源ランプ２１の直下から離れた位置に固定ピン１２が配置されたランプ支持部１１が示されている。この場合、ランプ支持部１１の両端部分又は片端部分に位置決め用の位置制御ピンが設けられている。
このような構成によれば、光モレによる不具合の発生を防ぐと共に、ランプ位置精度のバラツキを抑制し、また複数個が一体化されたランプ支持部により支持することで、部品点数を削減することができ、低コストで表示品位に優れ、安定した液晶モジュールを提供することができる。
【００３３】
本実施形態及び以下に示す実施形態において、本発明の特定事項を満たす限り、絶縁性樹脂からなるランプ支持部の形状、材質、個数及び位置は限定されるものではない。また液晶表示装置は、Ｕ字型又は偶数のＵ字型ランプを有する直下型バックライト又はエッジライト型バックライトのいずれを備えたものでもよい。
なお、本発明の表示装置用照明装置により構成される直下型液晶表示装置としては、例えば、板金１１１に高反射性樹脂１１２を配置し、その上部に端部等を絶縁性樹脂で被覆されたＵ字管２１を格納フレーム（ランプフレーム）１１４により配置し、拡散板１１５、拡散板の上に拡散シート、集光レンズ、光偏光選択性反射透過シート、保護・拡散シート、電磁遮蔽シート（導電シート、ＩＴＯシート）等の各種シート１１６、液晶パネル素子１１７、フレーム１１８等が配置された構造の液晶表示装置が挙げられる。
【００３４】
（実施の形態２）
実施の形態１と同様にランプ支持部を用いて照明装置の表示領域を構成する。図２−ａ〜ｄには、ランプ支持部の２個分が一体化され、その中間位置に固定ピン１２が設けられたランプ支持部１１が示されている。図２−ａでは、固定ピン１２の形状が丸であり、図２−ｂでも、固定ピン１２の形状が丸であるが、ランプ支持部１１の中間の位置に２個以上の固定ピン１２を有する部材を設け、これによりランプ支持部１１が固定されるようにされている。図２−ｃは、図２−ｂのランプ支持部の斜視図である。また、図２−ｄでは、固定ピン１２の形状が長方形であり、蛍光ランプ２１に対して斜め方向に固定ピン１２が設けられている。
これらの構成によれば、光モレによる不具合の発生を防ぎ、また複数個が一体化されたランプ支持部により支持することで、部品点数を削減することができ、低コストで表示品位に優れ、安定した液晶モジュールを提供することができる。
また図２−ｂ〜ｄの形態によれば、図２−ａの形態に比べてランプ位置精度のバラツキをより充分に抑制し、位置精度の充分な確保が可能となる。
【００３５】
（実施の形態３）
実施の形態１と同様にランプ支持部を用いて照明装置の表示領域を構成する。図３には、ランプ支持部の２個分が一体化され、その中間位置に固定ピン１２及び拡散板支持ピンが設けられたランプ支持部が示されている。この場合、固定ピン１２が拡散板支持ピンの直下の位置に配置されている。
このような構成によれば、固定ピンが光源ランプの直下から離れて設けられると共に、拡散板支持ピンによる反射によって固定ピンからの光モレを更に少なくすることができ、また複数個が一体化されたランプ支持部により支持することで、部品点数を削減することができ、低コストで表示品位に優れ、安定した液晶モジュールを提供することができる。
【図面の簡単な説明】
【００３６】
【図１】本発明の表示装置用照明装置におけるランプ支持部の実施形態の一例であり、ランプ支持部が一体化され、その中間位置に固定ピンが設けられ、更に位置制御ピンが設けられた形態の断面概念図である。
【図２−ａ】本発明の表示装置用照明装置におけるランプ支持部の実施形態の一例であり、ランプ支持部が一体化され、その中間位置に丸形状の固定ピンが設けられた形態の平面概念図（上から見た図）である。
【図２−ｂ】本発明の表示装置用照明装置におけるランプ支持部の実施形態の一例であり、ランプ支持部が一体化され、その中間位置に固定ピンを有する部材が設けられた形態の平面概念図（上から見た図）である。
【図２−ｃ】図２−ｂのランプ支持部の斜視図である。
【図２−ｄ】本発明の表示装置用照明装置におけるランプ支持部の実施形態の一例であり、ランプ支持部が一体化され、その中間位置に斜め方向に長方形の固定ピンが設けられた形態の平面概念図（上から見た図）である。
【図３】本発明の表示装置用照明装置におけるランプ支持部の実施形態の一例であり、ランプ支持部が一体化され、その中間位置に固定ピン及び拡散板支持ピンが設けられた形態の断面概念図である。
【図４−ａ】ランプ支持部の光源ランプ上部の支持範囲Ｌを示す説明図である。
【図４−ｂ】ランプ支持部の光源ランプ方向の長さＷを示す説明図である。
【図５−ａ】ランプ固定ピンが光源ランプを把持する部分の直下にある形態の表示装置用照明装置の断面概念図である。
【図５−ｂ】図５−ａの形態において、固定ピン位置の光モレに起因する暗部（斜線部）を示す平面概念図である。
【図５−ｃ】固定ピンが光源ランプを把持する部分の直下にあり、拡散板支持ピンが設けられた形態の表示装置用照明装置の断面概念図である。
【図６】エッジライト型バックライトの構造の要部を示す断面模式図である。
【図７】直下型バックライトの構造の要部を示す分解斜視模式図である。
【符号の説明】
【００３７】
１１、９１：ランプ支持部
１２：固定ピン
１３：光源ランプ把持部
２１：蛍光管
１０１：導光板
１０２：棒状光源
１０３：フレーム
１０４：光学シート
１０５：液晶パネル
１１１：板金
１１２：高反射性樹脂
１１３：棒状光源
１１４：格納フレーム（ランプフレーム）
１１５：拡散板
１１６：光学シート
１１７：表示素子（液晶パネル素子）
１１８：フレーム
【図１】
2006003732.tif 000003
【図２−ａ】
2006003732.tif 000004
【図２−ｂ】
2006003732.tif 000005
【図２−ｃ】
2006003732.tif 000006
【図２−ｄ】
2006003732.tif 000007
【図３】
2006003732.tif 000008
【図４−ａ】
2006003732.tif 000009
【図４−ｂ】
2006003732.tif 000010
【図５−ａ】
2006003732.tif 000011
【図５−ｂ】
2006003732.tif 000012
【図５−ｃ】
2006003732.tif 000013
【図６】
2006003732.tif 000014
【図７】
2006003732.tif 000015